(57)【要約】【課題】洗浄槽が筐体から引出し可能に設けられる食器洗い機において、給水ホースおよび洗浄槽下部の構成を簡単にし、洗浄槽の奥行きサイズを大きくして容積を大きくする。【解決手段】前面に前方開口部を有する筐体１と、筐体１内に設けられ被洗浄物Ｄが収容される洗浄槽２と、柔軟な給水ホース１８を含み洗浄槽２内に洗浄水を供給する給水部４と、給水部４に含まれ洗浄水の逆流を防止するエアブレーク装置１７と、洗い工程およびすすぎ工程を含む洗浄運転を実行する制御部１５と、を備え、洗浄槽２は、上面が開口され筐体１内から引き出し可能に設けられ、エアブレーク装置１７は、洗浄槽２の後面外側に設置される。【選択図】図１
2019205689.tif 000002
【特許請求の範囲】
【請求項１】
前面に前方開口部を有する筐体と、前記筐体内に設けられ被洗浄物が収容される洗浄槽と、柔軟な給水ホースを含み前記洗浄槽内に洗浄水を供給する給水部と、前記給水部に含まれ前記洗浄水の逆流を防止するエアブレーク装置と、洗い工程およびすすぎ工程を含む洗浄運転を実行する制御部と、を備え、
前記洗浄槽は、上面が開口され前記筐体内から引き出し可能に設けられ、
前記エアブレーク装置は、前記洗浄槽の後面外側に設けられる、
食器洗い機。
【請求項２】
前記給水ホースを支持するとともに、前後に可動な支持部が設けられる、
請求項１記載の食器洗い機。
【請求項３】
前記エアブレーク装置と前記支持部とは、正面視で重なり合わない位置に設けられる、
請求項２記載の食器洗い機。
【発明の詳細な説明】
【技術分野】
【０００１】
本発明は、洗浄水を用いて食器などを洗浄する食器洗い機に関する。
【背景技術】
【０００２】
食器などを洗浄する食器洗い機は、洗浄ポンプによって加圧された洗浄水が洗浄ノズルから食器に向けて噴射され、食器に付着した汚れを洗い流して洗浄するのが一般的である。洗浄に用いる洗浄水は、水道管に接続された給水部より洗浄槽内に供給され、洗剤や乾燥仕上げ材とともに洗浄に使用される。このとき、何らかの原因により水道管の圧力が負圧になった際に、洗浄槽内の洗剤等が混ざった洗浄水が水道管へ逆流してしまうと、きれいな上水が汚れて衛生上問題となる。そのため、水道管が負圧になった場合でも、洗浄槽内の洗浄水が水道管に逆流しないように、エアブレーク装置（空気遮断部）が設けられる（例えば、特許文献１参照）。
【０００３】
上記特許文献１に、空気遮断部を含む軟水器を有する食器洗い機が記載される。図６に示すように、この軟水器は、食器洗浄機の給水源（２３８）内に、主供給弁と洗浄チャンバとの間に配置される。軟水器は、イオン交換樹脂（２９０）をもつ樹脂容器（２０７）を含む。洗浄チャンバに供給される水は、任意的に、樹脂容器（２０７）を通過する。再生ブラインは、ブライン容器（２０３）にて行われる。ブライン容器（２０３）には、固形塩（２７０）及び空気遮断部（２０１）において主供給源から該容器の中に分けられた水が、人為的に供給される。再生サイクルにおいては、ブラインは、ポンプ（２０６）によって、ブライン容器（２０３）から樹脂容器（２０７）に送給される。
【０００４】
また、空気遮断部を含む軟水器は、固形塩を補充する必要があることもあり、フロントパネルと洗浄チャンバとの間の中空壁に配置される。
【先行技術文献】
【特許文献】
【０００５】
【特許文献１】特表２００５−５２２２９０号公報
【発明の概要】
【発明が解決しようとする課題】
【０００６】
従来技術の食器洗浄機は、空気遮断部を含む軟水器がフロントパネルと洗浄チャンバとの間の中空壁に配置される。すなわち、空気遮断部が洗浄チャンバの前方に位置する。そして、洗浄チャンバの後方には、給水ホース、排水ホースおよびこれらが折りたたまれるように支持する支持部を備える。このように、洗浄チャンバの前方に空気遮断部が配置され、洗浄チャンバの後方に給排水ホースとそれらの支持部が存在し、筐体の奥行きサイズに対して洗浄チャンバが前後方向に小さくなる。したがって、洗浄チャンバの容積が相対的に小さくなるという課題がある。また、洗浄槽の後部から前部まで給水ホースを引き回す必要があり、給水ホースおよび洗浄槽下部の構成が複雑になるという課題がある。本発明は、前記従来の課題を解決するもので、洗浄槽が筐体から引出し可能に設けられる食器洗い機において、給水ホースの構成を簡単にし、洗浄槽の奥行きサイズを大きくして容積を大きくできる食器洗い機を提供することを目的とする。
【課題を解決するための手段】
【０００７】
前記従来の課題を解決するために、本発明の食器洗い機は、
前面に前方開口部を有する筐体と、前記筐体内に設けられ被洗浄物が収容される洗浄槽と、柔軟な給水ホースを含み前記洗浄槽内に洗浄水を供給する給水部と、前記給水部に含ま
れ前記洗浄水の逆流を防止するエアブレーク装置と、洗い工程およびすすぎ工程を含む洗浄運転を実行する制御部と、を備え、前記洗浄槽は、上面が開口され前記筐体内から引き出し可能に設けられ、前記エアブレーク装置は、前記洗浄槽の後面外側に設けられる。
【０００８】
この構成によって、給水ホースおよび洗浄槽下部の構成を簡単にし、洗浄槽の奥行きサイズを大きくして容積を大きくできる。
【発明の効果】
【０００９】
本発明の食器洗い機は、洗浄槽が筐体内から引き出し可能に設けられる食器洗い機において、給水ホースおよび洗浄槽下部の構成を簡単にし、洗浄槽の奥行きサイズを大きくして容積を大きくできる。
【図面の簡単な説明】
【００１０】
【図１】本発明の実施の形態１における食器洗い機の側面断面模式図
【図２】図１に示す食器洗い機の状態から洗浄槽が引き出された状態の側面断面模式図
【図３】本実施の形態における食器洗い機の後面側斜視図
【図４】本実施の形態における食器洗い機の一部外郭を外した後面側斜視図
【図５】本発明の他の実施の形態における食器洗い機の斜視図
【図６】従来の食器洗い機の側面断面図
【発明を実施するための形態】
【００１１】
第１の発明の食器洗い機は、
前面に前方開口部を有する筐体と、前記筐体内に設けられ被洗浄物が収容される洗浄槽と、柔軟な給水ホースを含み前記洗浄槽内に洗浄水を供給する給水部と、前記給水部に含まれ前記洗浄水の逆流を防止するエアブレーク装置と、洗い工程およびすすぎ工程を含む洗浄運転を実行する制御部と、を備え、前記洗浄槽は、上面が開口され前記筐体内から引き出し可能に設けられ、前記エアブレーク装置は、前記洗浄槽の後面外側に設置される。この構成によって、給水ホースおよび洗浄槽下部の構成を簡単にし、洗浄槽の奥行きサイズを大きくして容積を大きくできる。
【００１２】
第２の発明は、特に、第１の発明において、
前記給水ホースを支持するとともに、前後に可動な支持部が設けられる。この構成によって、支持部は、洗浄槽が出し入れされるときに、給水ホースを支持しながらスムーズに動くとともに、給水ホースが他の部品と干渉および無理な屈曲などしないように支持する。この構成によって、給水ホースへの負荷が抑制されるとともに、洗浄槽が、スムーズに出し入れされる。
【００１３】
第３の発明は、第２の発明において、
前記エアブレーク装置と前記支持部とは、正面視で重なり合わない位置に設けられる。この構成によって、洗浄槽が収容されるときにエアブレーク装置と支持部とが重ならないため、必要な奥行き空間の寸法が小さくて済む。この構成によって、筐体の奥行きサイズに対して洗浄槽を前後方向に大きくすることができ、洗浄槽の容積を大きくできる。
【００１４】
以下、本発明の実施の形態について、図面を参照しながら説明する。なお、この実施の形態によって本発明が限定されるものではない。
【００１５】
（実施の形態１）
図１は、本発明の実施の形態１における食器洗い機の側面断面模式図である。図１は、食器洗い機がシステムキッチンＳＫにビルトインされた状態を示す。図２は、図１に示す
食器洗い機の状態から洗浄槽２が引き出された状態の側面断面模式図である。図３は、本実施の形態における食器洗い機の後面側斜視図である。図４は、本実施の形態における食器洗い機の一部外郭を外した後面側斜視図である。図４に示す食器洗い機は、左右側面と下面と後面の外郭が外されたものである。
【００１６】
本実施の形態の食器洗い機は、筐体１と、洗浄槽２と、洗浄ポンプ３と、給水部４と、扉体５などを含む。なお、以降の実施の形態において、図１に示すように、前方向は扉体５および洗浄槽２が引き出される方向、後方向は洗浄槽２が収納され扉体５が閉じられる方向として説明する。また、食器洗い機の設置側を下方、反対側を上方とし、さらに、扉体５の正面に向かって右側を右方、左側を左方として説明する。
【００１７】
筐体１は、前面に前面開口部１ａを有する。また、後面の外郭にメンテナンス用の裏蓋１６を有する。洗浄槽２は、内部に食器かご６と、洗浄ノズル７と、排水口８と、残さいフィルタ９などを含む。洗浄槽２は、筐体１の内部に前後方向に出し入れ可能に設けられる。洗浄槽２は、上面に上面開口部２ａを有する。上面開口部２ａは、洗浄槽２が筐体１内に収容されたときに、筐体１内に配設された内蓋１０で閉塞される。内蓋１０は、洗浄槽２の出し入れと連動してリンク機構１１により上下動する。上面開口部２ａの周縁部に変形可能な中空状のゴムチューブで形成されたシール部１２が設けられる。シール部１２は、洗浄槽２が筐体１内に収容された際に、下降する内蓋１０により圧縮されて上面開口部２ａが密閉される。
【００１８】
食器かご６は、食器などの被洗浄物Ｄが載置される。扉体５は、洗浄槽２の前部に設けられ、収納時に筐体１の前面を覆う。洗浄槽２の出し入れは、扉体５に設けられたハンドル５ａを把持して行われる。給水部４は、給水路４ａ、給水弁４ｂ、エアブレーク装置１７、給水ホース１８などを含む。給水路４ａは、図示しない水道管に接続される。給水弁４ｂは、筐体１内後部の給水路４ａに設けられる。給水弁４ｂは、開放により、洗浄水となる水道水を洗浄槽２に供給する。
【００１９】
エアブレーク装置１７は、洗浄槽２の後面外側に設置される。エアブレーク装置１７は、水道管が負圧になった場合でも、洗浄槽２内の洗浄水が水道管に逆流しないように構成される。給水ホース１８は、前後に移動する洗浄槽２とエアブレーク装置１７とを柔軟に連結する。給水ホース１８は、シリコーンゴムなどの柔軟な材料で形成される。筐体１の後面には、着脱可能な裏蓋１６が設けられる。裏蓋１６を外すことにより、給水部４および排水部などのメンテナンスが行われる。
【００２０】
洗浄ポンプ３は、洗浄槽２の底面外側に設けられる。洗浄ノズル７は、洗浄槽２の底面内側に設けられる。洗浄ポンプ３は、洗浄水を洗浄ノズル７に圧送する。洗浄ノズル７は、圧送された洗浄水の反力により回転しながら、食器かご６に載置された被洗浄物Ｄに向けて洗浄水を噴射する。つまり、洗浄ポンプ３は、洗浄槽２内に溜められた洗浄水を加圧して洗浄ノズル７に供給する。洗浄ノズル７から噴射された洗浄水は、被洗浄物に衝突して汚れを落とし、洗浄を行う。なお、洗浄水は、洗剤を含んで被洗浄物に噴射される洗浄液と、被洗浄物をすすぐためのすすぎ水とを含む。
【００２１】
排水口８は、洗浄槽２内の底部に設けられる。残さいフィルタ９は、排水口８に着脱自在に設けられ、被洗浄物から洗浄、除去された残さいを捕集する。ヒータ１３は、洗浄槽２内の底部に溜められる洗浄水中に没するように配設される。ヒータ１３は、洗い工程において、洗浄槽２内に溜められた洗浄水を加熱する。ヒータ１３は、乾燥工程において、洗浄槽２内の乾燥用空気を加熱する。洗浄槽２の底面外側に配設されたサーミスタ等の温度センサ１４は、洗浄槽２の温度を検知する。
【００２２】
洗浄ポンプ３は、吸い込み側が排水口８に連通され、残さいフィルタ９で残さいが除去された洗浄水を循環させる。さらに、洗浄ポンプ３は、循環時のモータの回転方向を反転させることにより排水ポンプとして機能し、洗浄槽２から洗浄水を排出する。なお、排水ポンプが独立して設けられてもよい。また、排水ポンプの代わりに排水弁が設けられ、排水弁の開放により、重力による自然落下で洗浄水が排水されるように構成されてもよい。
【００２３】
排水部は、排水口８、排水ホース１９、排水路２０、排水ポンプなどを含む。排水路２０は、筐体１内後部の給水路４ａに並んで設けられる。排水ホース１９は、排水ポンプとして機能する洗浄ポンプ３の排出口と排水路２０とを柔軟に連結する。排水ホース１９は、シリコーンゴムなどの柔軟な材料で形成される。
【００２４】
給水ホース１８と排水ホース１９とは並行し、筐体１内で半円を描くように長めに設けられる。これら２本のホースは、洗浄槽２の前後の動きに追随できるように可動な支持部２１で支持される。支持部２１は、支持片２１ａと固定片２１ｂと支軸２１ｃとを有する。支持片２１ａは、給水ホース１８および排水ホース１９を保持する。固定片２１ｂは、筐体１に固定される。支軸２１ｃは、支持片２１ａが支軸２１ｃを中心に旋回可能となるように固定片２１ｂに連結する。支持部２１は、洗浄槽２が引き出されるとき、前方に旋回しながら給水ホース１８および排水ホース１９を送り出す。また、支持部２１は、洗浄槽２が収容されるとき、後方に旋回しながら給水ホース１８および排水ホース１９を無理に屈曲しないように所定位置に収容する。
【００２５】
これにより、支持部２１は、洗浄槽２が出し入れされるときに、給水ホース１８および排水ホース１９をスムーズな旋回で支持するとともに、給水ホース１８および排水ホース１９が他の部品と干渉したり無理に屈曲したりして、破損または閉塞するのを防ぐ。そして、給水ホース１８および排水ホース１９への負荷が抑制されるとともに、洗浄槽２がスムーズに出し入れされる。
【００２６】
なお、柔軟な給水ホース１８および柔軟な排水ホース１９は、必ずしも全体が柔軟である必要はなく、所定の部分でつぶれないように折り曲げまたは捻じりが可能で、折り畳めるように構成されてもよい。また、給水ホース１８および排水ホース１９は、並行に設けられることに限定されず、支持部２１が支持するのは給水ホース１８だけとし、排水ホース１９は異なる構成で支持されてもよい。
【００２７】
図４に示すように、エアブレーク装置１７と支持部２１とは、正面視で重ならないよう、上下および左右方向にずれた位置に設けられる。また、給水路４ａ、排水路２０、給水ホース１８および排水ホース１９も、エアブレーク装置１７の周囲を取り囲むように設けられる。これにより、洗浄槽２が収容されるときの洗浄槽２と筐体１の後面とのスペースは、これらの部品で奥行きサイズが最も大きな部品が収まるだけの空間が設けられればよい。したがって、必要な奥行き空間の寸法が小さくて済む。これにより、筐体１の奥行きサイズに対して洗浄槽２を前後方向に大きくすることができ、洗浄槽２の容積を大きくできる。
【００２８】
洗浄運転を実行する制御部１５は、扉体５の内側で洗浄槽２の前面外側に設けられている。制御部１５は、被洗浄物Ｄを洗う洗い工程、被洗浄物Ｄに付着した洗剤および残さいを流すすすぎ工程、および、被洗浄物Ｄを乾燥させる乾燥工程、を含み、これらの工程を逐次制御する。
【００２９】
次に、上記構成を備える食器洗い機の動作について説明する。まず、使用者は、扉体５のハンドル５ａを把持して食器洗い機の筐体１から洗浄槽２を引き出す。このとき、洗浄槽２の後方に設けられた給水ホース１８および排水ホース１９は、洗浄槽２とともに前方
に引っ張られる。この引張力により、支持部２１は前方に旋回しながら給水ホース１８および排水ホース１９を送り出す。これにより、給水ホース１８および排水ホース１９が他の部品と干渉したり屈曲したりして、破損または閉塞するのを防ぐことができる。
【００３０】
使用者は、開放された洗浄槽２の上面開口部２ａから、食器などの被洗浄物Ｄを食器かご６にセットし、洗剤を投入する。その後、洗浄槽２を筐体１内に押し込んで収容し扉体５を閉じる。このとき、洗浄槽２の後方に設けられた給水ホース１８および排水ホース１９は、洗浄槽２とともに押し込まれる。これによる押圧力により、支持部２１は後方に旋回しながら給水ホース１８および排水ホース１９を所定位置に収容する。これにより、給水ホース１８および排水ホース１９が他の部品と干渉したり屈曲したりして、破損または閉塞するのを防ぐことができる。
【００３１】
そして、使用者は、制御部１５に設けられる操作部（図示せず）で、運転コースを設定し、例えば、開始ボタン（図示せず）を操作して、洗浄運転を開始する。これにより、制御部１５は、運転コースに基づいて、洗浄運転を実行する。制御部１５は、洗い工程、すすぎ工程、および、乾燥工程を逐次実行する。
【００３２】
制御部１５は、はじめに洗い工程を行う。制御部１５は、給水弁４ｂを動作させ、所定量の洗浄水を給水ホース１８、エアブレーク装置１７を通じて洗浄槽２に供給する。給水が完了すると、洗浄ポンプ３を駆動して洗浄水を圧送し、洗浄槽２の底部近傍に配設された洗浄ノズル７から被洗浄物Ｄに向けて洗浄水を噴射する。制御部１５は、洗浄水を噴射しながらヒータ１３に通電し、洗浄水を加熱する。このとき、制御部１５は、温度センサ１４により洗浄槽２の底面の壁を介して、洗浄水の温度を検知し、洗浄水が所定温度となるように制御する。
【００３３】
洗浄ノズル７から噴射された洗浄水は、被洗浄物Ｄの汚れを洗浄し、残さいフィルタ９と排水口８を通過して、再度、洗浄ポンプ３に吸い込まれる。洗浄ポンプ３は、吸い込んだ洗浄水を圧送し、洗浄ノズル７に洗浄水を供給して循環して洗浄を行う。制御部１５は、洗い工程を所定時間（例えば、３０分）実行した後、洗浄ポンプ３のモータの回転方向を反転させ、洗浄槽２内の汚れを含む洗浄水を排水口８から排水路２０を通して筐体１外へ排出する。
【００３４】
次に、洗い工程に続いてすすぎ工程が実行される。制御部１５は、給水弁４ｂを動作させて、新たに所定量の洗浄水を洗浄槽２に供給する。制御部１５は、洗い工程と同様に、洗浄ポンプ３を駆動し、洗浄ノズル７から洗浄水を噴射する。これにより、被洗浄物Ｄに残留する洗剤および残さいなどを、洗浄水で洗い流す。このとき、洗浄水の排出、すすぎ、洗浄水の供給などのすすぎ動作を複数回（例えば、２回〜３回）繰り返す。
【００３５】
そして、制御部１５は、すすぎ工程が終了すると、続いて、ヒータ１３で洗浄槽２内の空気を加熱し、ファン（図示せず）により送風する。これにより、被洗浄物Ｄを乾燥させる。制御部１５は、乾燥工程を所定時間（例えば、３０分）行い、洗浄運転が終了する。
【００３６】
以上のように、本実施の形態の食器洗い機は、前面に前方開口部を有する筐体１と、筐体１内に設けられ被洗浄物Ｄが収容される洗浄槽２と、柔軟な給水ホース１８を含み洗浄槽２内に洗浄水を供給する給水部４と、給水部４に含まれ洗浄水の逆流を防止するエアブレーク装置１７と、洗い工程およびすすぎ工程を含む洗浄運転を実行する制御部１５と、を備え、洗浄槽２は、上面が開口され筐体１内から引き出し可能に設けられ、エアブレーク装置１７は、洗浄槽２の後面外側に設置される。この構成によって、洗浄槽２の前部まで給水ホース１８を引き回すことなく、給水ホース１８および洗浄槽２下部の構成を簡単にし、洗浄槽２の奥行きサイズを大きくして容積を大きくできる。
【００３７】
また、給水ホース１８を支持するとともに、前後に可動な支持部２１が設けられる。この構成によって、支持部２１は、洗浄槽２が出し入れされるときに、給水ホース１８を支持しながらスムーズに動くとともに、給水ホース１８が他の部品と干渉および無理な屈曲などしないように支持する。これにより、給水ホースへの負荷が抑制されるとともに、洗浄槽２がスムーズに出し入れされる。
【００３８】
また、本実施の形態の食器洗い機においては、洗浄槽２が引き出し式の構成で説明したが、これに限られない。例えば、図５に示すような引き出し式の食器洗い機でも適用できる。図５において、筐体７１の内部に洗浄槽７２が構成される。扉体７３は、支持レール７４によって支えられ、前後にスライドして洗浄槽７２の前面開口部７２ａを開閉する。食器かご７５はかごレール７６によって支えられ、扉体７３に係止されて前後にスライドする。
【産業上の利用可能性】
【００３９】
以上のように、本発明にかかる食器洗い機は、給水ホースおよび洗浄槽下部の構成を簡単にし、洗浄槽の奥行きサイズを大きくして容積を大きくできるので、家庭用などの食器洗い機として有用である。
【符号の説明】
【００４０】
１  筐体
１ａ  前面開口部
２  洗浄槽
２ａ  上面開口部
３  洗浄ポンプ
４  給水部
４ａ  給水路
４ｂ  給水弁
５  扉体
６  食器かご
７  洗浄ノズル
８  排水口
９  残さいフィルタ
１０  内蓋
１１  リンク機構
１２  シール部
１３  ヒータ
１４  温度センサ
１５  制御部
１６  裏蓋
１７  エアブレーク装置
１８  給水ホース
１９  排水ホース
２０  排水路
２１支持部
２１ａ  支持片
２１ｂ  固定片
２１ｃ  支軸
７１  筐体
７２  洗浄槽
７２ａ  前面開口部
７３  扉体
７４  支持レール
７５  食器かご
７６  かごレール
Ｄ  被洗浄物
ＳＫ  システムキッチン
【図１】
2019205689.tif 000003
【図２】
2019205689.tif 000004
【図３】
2019205689.tif 000005
【図４】
2019205689.tif 000006
【図５】
2019205689.tif 000007
【図６】
2019205689.tif 000008